(57)【要約】【課題】  画像面を上向きにしてセットする簡易な構成の画像読取装置を提供する。【解決手段】  原稿台１００は、装置本体１０Ａに対して回動自在に支持されている。原稿台１００の載置板１０３の上に画像面を上にしてセットされた原稿７０は原稿保持部１１０に保持される。原稿台１００は、原稿をセットするための位置と、原稿台１００上の原稿の画像面が装置本体１０Ａと対向する読取位置と、の間で回動自在である。【選択図】  図２
2007171274.tif 000002
【特許請求の範囲】
【請求項１】
原稿の画像を読取るための読取り手段と、
原稿の画像面を視認可能に原稿をセットするための原稿セット位置と、画像面が前記読取り手段と対向する読取位置と、の間で回動自在な原稿台と、
原稿を前記原稿台に保持するための原稿保持手段と、
を有することを特徴とする画像読取装置。
【請求項２】
前記原稿保持手段は、透光性を備えた平面部で原稿の画像面を押える原稿保持部材を有し、
画像面の反対側から原稿を前記原稿保持部材へ付勢する付勢手段と、原稿を押えた状態で前記原稿保持部材を固定するためのロック手段と、を備えたことを特徴とする請求項１記載の画像読取装置。
【請求項３】
前記原稿保持手段は、透光性を備えた樹脂製弾性フィルムを備え、
原稿を押さえた状態で前記樹脂製弾性フィルムを前記原稿台に対して固定するためのロック手段を備えたことを特徴とする請求項１記載の画像読取装置。
【請求項４】
前記読取り手段に原稿の画像面が対向した状態でセットされた原稿を直接押さえるために、前記読取り手段に開閉自在な押圧部材が装着可能なことを特徴とする請求項１乃至３のいずれかに記載の画像読取装置。
【請求項５】
原稿の画像を読取るための読取り手段を備えた画像読取装置本体に装着され、画像読取装置本体に装着されたときには前記画像読取装置本体に回動自在に支持される、原稿載置装置であって、
原稿の画像面を視認可能に原稿をセットするための原稿セット位置と、画像面が前記画像読取装置本体と対向する読取位置と、の間で回動自在な原稿台と、
前記原稿台に載置された原稿を前記原稿台に保持するための原稿保持手段と、を有することを特徴とする原稿載置装置。
【発明の詳細な説明】
【技術分野】
【０００１】
本発明は、原稿の画像を読み取る画像読取装置および原稿載置装置に関する。
【背景技術】
【０００２】
従来から読取ろうとする原稿を下向きにセットし原稿面の下側から読取り動作を行なう画像読取装置が普及している。
【０００３】
このような画像読取り装置では、原稿を原稿台に均一に浮きなく接触させるために原稿を押圧する開閉自在の圧板を、原稿の上に被せたうえで読取り動作を行なう。
【０００４】
ところが、特に薄い原稿においては、圧板で原稿を押える時に原稿がずれてしまい、読取った画像が斜めになってしまうことがあった。
【０００５】
また、ロール状の薄紙に記録された原稿等においては、圧板で原稿を押える前に原稿についた巻き癖によって原稿がカールし浮き上がってしまう。よって、圧板で押えた時に原稿がずれるだけでなく折れてしまうことがあった。
【０００６】
またブック原稿においても同様に原稿の折れ、ずれ等が発生することがあった。
【０００７】
これらの不具合は読取った画像を出力した後でないと確認できないため、読取り作業の長時間化や、不良出力紙による無駄が発生していた。
【０００８】
更にブック原稿においては、複数のページを読取らせようとすると原稿台に向けて裏返っているブック原稿を一端転回させてページをめくり、再び裏返しにして原稿台にセットする、という煩雑な作業を繰り返さなければならなかった。
【０００９】
また、このような転回を伴う手作業の間にブック原稿にストレスがかかり、特に厚手のものや古文書のような脆弱な原稿の場合、原稿を破損することがあった。
【００１０】
そこで、従来においても原稿の画像面を視認可能に原稿をセットするために原稿を上向きにセットして読取らせる画像読取装置が知られている。
【００１１】
例えば図１４に示すような画像読取装置が提案されている（特許文献１）。この画像読取装置は原稿台１上に原稿を上向きにセットし、照明部４で原稿面を照明し、カメラ部２で原稿の画像を読取る構成である。
【００１２】
また、図１５に示すような画像読取装置も提案されている（特許文献２）。この画像読取装置は原稿台１上にブック原稿を上向きにセットし、原稿台ユニット３５に対し開閉可能に構成されたスキャナユニット３０内を読取りキャリッジ２００が平行移動しながら原稿を読取る構成である。
【特許文献１】特開平７−７９３２６号公報
【特許文献２】特開平７−１２８９３３号公報
【発明の開示】
【発明が解決しようとする課題】
【００１３】
しかしながら、従来の上向きに原稿をセットする画像読取り装置には以下のような問題があった。
【００１４】
特許文献１の構成の画像読取装置は焦点距離を確保するため原稿台１からカメラ部２を一定距離だけ離す必要がある。その結果、画像読取装置の高さが高くなり大型化を余儀なくされる。画像形成装置に本構成の画像読取装置を適用すると更なる大型化になり、省スペースの観点から問題である。
【００１５】
特許文献２の構成の画像読取装置は、原稿の上部に位置するスキャナユニット３０が、平行移動可能な読取りキャリッジ２００を収納し、さらにキャリッジを移動させる駆動源も内蔵するため大型かつ、重くなる。スキャナユニット３０は原稿を原稿台１にセットするために開閉自在に構成されるが、大型で重量がある為その操作性は悪化する。
【００１６】
また、重量のあるスキャナユニットを開閉動作する時の衝撃で内蔵する読取りキャリッジ２００や、キャリッジが移動するスライダ部が微小にずれて読取り不良を起こす恐れがある。
【００１７】
本発明の目的は、原稿の画像面を視認可能な状態でセットすることによって、原稿のずれや折れを事前に防止でき、ブック原稿の破損等も防止が可能な画像読取装置を提供することである。
【００１８】
また、本発明の目的は、原稿の画像面を視認可能に原稿をセットする画像読取装置であっても、高さが低く開閉部が軽量な画像読取装置を提供することである。
【課題を解決するための手段】
【００１９】
本願発明の画像読取装置は、原稿の画像を読取るための読取り手段と、原稿の画像面を視認可能に原稿をセットするための原稿セット位置と、画像面が前記読取り手段と対向する読取位置と、の間で回動自在な原稿台と、原稿を前記原稿台に保持するための原稿保持手段と、  を有する。
【発明の効果】
【００２０】
本発明に係る画像読取装置においては、画像読取装置にセットする最終的な原稿の画像面の状態を確認してから画像の読取り動作に入れる。したがって、原稿の折れ、ずれを未然に防ぐことができる。
【００２１】
また、原稿台には重量の重い読取手段が内装されていない。従って原稿をセットし直す時に原稿台を回動する操作性は良好で、原稿台を閉じる時の衝撃も小さくなる。
【発明を実施するための最良の形態】
【００２２】
以下、本発明の実施形態で画像読取装置と、この画像読取装置を備えた画像形成装置とを、図面を用いて説明する。ただし、この実施形態に記載されている構成部品の寸法、材質、形状、その相対配置などは、特に特定的な記載がない限りは、この発明の範囲をそれらのみに限定する趣旨のものではない。
【００２３】
（画像形成装置）
まず、画像読取装置を備えた画像形成装置を図１に基づいて説明する。
【００２４】
画像形成装置５０は、シートに画像を形成するようになっている。画像形成装置には、例えば、複写機、プリンタ、ファクシミリ、及びこれらの複合機等がある。
【００２５】
画像形成装置５０は、例えば、デジタル複写機である。画像形成装置５０における装置本体５０Ａの上部に画像読取装置１０を備えている。画像読取装置１０には後述する第１の実施形態の原稿台１００若しくは第２の実施形態の原稿台３００のいずれかが設けられている。画像形成装置本体５０Ａでは、画像読取装置１０から、あるいは他の装置からコントローラ５１に入力された画像情報に基づきシートに画像を形成する。
【００２６】
画像形成装置本体５０Ａには、画像情報に基づいたレーザー光を感光ドラム５３に発するレーザスキャナ５２が設けられている。感光ドラム５３の周囲には一次帯電器５４、現像器５５、転写器６１、クリーニング装置６５が設けられている。感光ドラム５３、一次帯電器５４、現像器５５、転写器６１、クリーニング装置６５によって画像形成部が構成されている。
【００２７】
画像形成装置本体５０Ａにはシートに画像を定着するための定着器６３が設けられている。画像形成部と定着器６３との間には、シートを定着器６３へ搬送するための搬送ベルト６２が設けられている。
【００２８】
画像形成装置本体５０Ａの側方には画像が形成されたシートが積載されるシート積載トレイ６４が設けられている。
【００２９】
画像形成装置本体５０Ａの下部には画像形成部に給送されるシートを収納する給紙カセット５６が設けられている。給紙カセット５６の上部には給紙カセット５６の中板５７に積載されたシートを給送するピックアップローラ５８が設けられている。ピックアップローラ５８のシート搬送方向下流側には給紙ローラ対５９とレジストローラ対６０とがシートを画像形成部に搬送するために設けられている。
【００３０】
レーザスキャナ５２は、画像情報に基づき感光体ドラム５３に静電潜像を形成する。感光体ドラム５３の表面は、あらかじめ潜像形成前に一次帯電器５４により一様に帯電されている。
【００３１】
潜像は現像器５５によって現像剤であるトナーにより現像される。一方、給紙カセット５６の中の中板５７に積載されたシートＰは、ピックアップローラ５８、給紙ローラ対５９により停止中のレジストローラ対６０に送られる。レジストローラ対６０において、シートの斜行が補正される。レジストローラ対５９は、感光体ドラム５３のトナー像の先端位置とシートの先端位置との整合タイミングを取って、シートを感光体ドラム５３と転写器６１との間に送り込む。
【００３２】
転写器６１は、感光体ドラム５３のトナー像をシートＰに転写する。その後、シートＰは、搬送ベルト６２によって、定着器６３に送り込まれる。搬送ベルト６２によって定着器６３に搬送されたシートは、定着器６３によって加熱加圧されて転写されているトナー像がシートに定着される。シートＰは、排紙トレイ６４に排出される。転写後の感光体ドラム５３に残留したトナーは、クリーニング装置６５によってクリーニングされて、回収される。
【００３３】
（第１の実施形態の画像読取装置）
図１に示される画像形成装置本体５０Ａの上方に設けられている画像読取装置１０は、原稿の画像を読み取るための装置である。画像読取装置１０は、原稿の画像を読取る読取り手段としての画像読取装置本体（以下装置本体と記す）１０Ａと、画像が読み取られる原稿をセットするための原稿台１００とを備える。
【００３４】
図１に示すように、画像読取装置１０の装置本体１０Ａは、発光器１１と第１反射鏡１２とを有する。発光器１１と第１反射鏡１２とは読み取りキャリッジ１３に設けられている。読み取りキャリッジ１３は図１におい左右方向に往復移動可能に画像読取装置本体１０Ａに設けられている。装置本体１０Ａには、第２反射鏡１４、第３反射鏡１５と、原稿からの反射光を電気信号に変換する受光素子１６と、受光素子１６の電気信号を処理する画像処理部１７等が設けられている。第２、第３反射鏡１４、１５も図１の左右方向に移動可能である。
【００３５】
読み取りキャリッジ１３が移動して発光器１１で原稿を照射する領域が、画像読取装置のほぼ読み取り領域である。
【００３６】
装置本体１０Ａの上部には原稿読取りガラス２が設けてある。原稿読取りガラス２、読み取りキャリッジ１３、第２、第３反射鏡１４、１５、受光素子１６、画像処理部１７によって読取部を構成している。
【００３７】
発光器１１で原稿を照射しながら読み取りキャリッジ１３が原稿読取りガラス２に沿って移動する。原稿からの反射光は第１反射鏡１１、第２反射鏡１４、第３反射鏡１５を順次経て、受光素子１６に入射する。受光素子１６の電気信号を画像処理部１７が処理する。以上の画像読取装置本体１０Ａの動作によって、原稿読取りガラス２と対向する位置にある原稿の画像を画像読取装置本体１０Ａが読み取る。
【００３８】
次に、原稿をセットするための原稿台１００について図２乃至図８を説明する。
【００３９】
図２は原稿台１００が開き、原稿台１００に対して回動する原稿保持部１１０も開いた状態の画像読取装置１０と、その下方の画像形成装置５０の外観斜視図である。
【００４０】
図３は図２に対して原稿保持部１１０が閉じた状態の画像読取装置１０と、その下方の画像形成装置５０の外観斜視図である。
【００４１】
図４は、図３に対して原稿台１００が装置本体１０Ａに対して閉じた状態の画像読取装置１０と、その下方の画像形成装置５０の外観斜視図である。
【００４２】
図５は、装置本体１０Ａから原稿台１００を取り外して、原稿下向きセット用の圧板（またはＡＤＦ）２００を取り付けた状態の画像読取装置１０と、その下方の画像形成装置５０の外観斜視図である。
【００４３】
本実施形態での原稿台１００に、ユーザは読み取る画像面を上して載置（セット）する。その後、原稿台１００にセットした原稿を装置に保持させて、原稿台１００を回動させる。原稿台１００を画像面が下の状態となるまで回動させて、装置本体１０Ａの読取部によって原稿の画像を読み取る。以下に原稿台１００の構成を詳述する。
【００４４】
原稿台１００は、画像読取装置本体１０Ａに原稿台軸１３０を中心にして回動自在に設けられている（図３参照）。つまり、原稿台１００は図３に示すように原稿台軸１３０により矢印Ｄの方向とＤと反対方向に回動できるようになっている。
【００４５】
原稿台１００には、原稿台１００にセットされた原稿を保持するための原稿保持手段としての原稿保持部１１０が回動自在に設けられている。原稿保持部１１０は図２に示すように奥側の側面１０２に設けられたヒンジにより矢印Ｃの方向に原稿台１００に回動自在に支持されている。原稿保持部１１０は透明な原稿保持部材としてのガラス１１１によって構成されている。
【００４６】
ユーザが原稿を原稿台１００にセットし、読み取らせるための操作について以下に説明する。
【００４７】
図２に示すように、原稿台１００が画像読取装置本体１０Ａに対して開き、原稿台１００に対して原稿保持部１１０も開いた状態とする。原稿台１００の図２に示す位置は原稿台１００に原稿をセットするための原稿セット位置である。
【００４８】
原稿７０は原稿面が表向きになるように原稿台の載置板１０３上にセットされる。そして、原稿保持部１１０を矢印Ｃ方向に回動して閉じることで、透光性を備えたガラス１１１に密着される。
【００４９】
そして図３に示している矢印Ｄ方向に原稿台１００を回動するよって原稿台１００を装置本体１０Ａに対して閉じる。原稿台１００を閉じることで原稿読取りガラス２と原稿７０の画像面とが対向する（図４に示す状態）。図４に示す原稿台１００の位置が、原稿の画像面と画像読取装置本体１０Ａとが対向する読取位置である。この図４に示した状態で読取りキャリッジ１３を往復移動させて原稿の読取り動作が成される。
【００５０】
また、原稿保持部１１０と原稿台１００とで構成される原稿載置装置は原稿台１００の軸部で装置本体１０Ａに対して着脱自在に構成されている。原稿台１００を取り外し、下向き用圧板又は自動原稿読取り装置（ＡＤＦ）２００等の押圧部材を装着することによって、通常の下向きに原稿をセットする装置とすることも可能である（図５参照）。なお、押圧部材は、装置本体１０Ａに原稿面を下向きにして載置された原稿を原稿読取りガラス２に押圧する部材である。
【００５１】
本実施形態では原稿台１００の回動位置１０Ｂと下向き用圧板２００の回動位置１０Ｃを異なる位置にしている。したがって、原稿台１００と下向き用圧板２００とを両方共に装着した状態として、原稿にあわせて適宜使い分けることが可能となる（図１６参照）。
【００５２】
次に、原稿台１００および原稿保持部１１０を図６乃至８を用いて更に詳しく説明する。
【００５３】
図６は原稿保持部１１０が開いた状態の側面断面図である。図７は原稿保持部１１０が閉じた状態の側面断面図である。上記側面断面図は図３に示す一点鎖線Ｆ方向に切断した断面図である。図８は原稿保持部１１０を閉じた状態で図３に示す矢印Ｈ方向から見た上視図である。
【００５４】
原稿台１００は、原稿が載置（セット）される載置板１０３と、載置板１０３を上下方向（載置板１０３の面に対して垂直な方向）に移動可能に保持する載置板ホルダ１００Ｈと、を有する。載置板ホルダ１００Ｈと載置板１０３との間には、付勢手段としてのばね１０４が設けられている。ばね１０４は、載置板１０３を図６の状態における上方に付勢している。なお、載置板１０３の上方への移動は不図示のストッパによって規制されている。
【００５５】
原稿保持部１１０は既述のように原稿台１００に対して回動自在に設けられている。図６は、原稿保持部１１０を開いた状態を示し、図７は原稿台１００に原稿を保持するために原稿保持部１１０を閉じた状態を夫々示している。
【００５６】
原稿保持部１１０を構成しているガラス１１１の端部には、溝部１１３が設けられている。載置板ホルダ１００Ｈの側面には、載置板ホルダ１００Ｈに揺動自在に、先端に爪１２１が形成されたロックアーム１２０が設けられている。図７に示すように、ガラス１１１を閉じたときには、溝部１１３と、ロックアーム１２０の爪１２１と、が係合可能である。
【００５７】
載置板１０３上に原稿７０をセットして原稿保持部１１０を閉じると、図７に示すようにばね１０４により上方に付勢された載置板１０３によって原稿７０は原稿保持部のガラス１１１に密着する。
【００５８】
この密着力を得た状態で、原稿台１００を回動して装置本体１０Ａに向ける過程で原稿保持部が開いてしまわないように、原稿保持部１１０はロックされる。即ち、原稿保持部１１０が原稿を押さえるために閉じたときにロックアーム１２０の爪１２１と、ガラス１１１の端部に設けられた溝部１１３とが係合可能である。爪１２１と端部１１３との係合によって、原稿保持部１１０が閉じた状態でロックされる。なお、ロックアーム１２０は矢印Ｅ方向に図示しない付勢手段で付勢されている。
【００５９】
原稿保持部１１０を閉じるとき、ロックアーム１２０を付勢方向に抗する方向に開いて保持しておく。そして、原稿保持部１１０が閉じた後、付勢方向に抗するロックアーム１２０の保持を開放すると、ロックアーム１２０の係合部としての爪１２１と溝部１１３が係合する。爪１２１と溝部１１３との係合によって原稿保持部１１０がロックされる。
【００６０】
ロックアーム１２０による原稿保持部１１０のロックによって、原稿保持部１１０が開いてしまうことが防止される。つまり、装置本体１０Ａに原稿の画像面を対向させるべく原稿台１００を図３の状態から矢印Ｄ方向に回動する過程においは重力の作用により、原稿保持部１１０が開いてしまう恐れがある。しかしながら、ロックアームのロックによって原稿保持部１１０が開いてしまうことが防止される。
【００６１】
なお、ロックアーム１２０や溝部１１３によって原稿保持部１１０を原稿台１００にセットされた原稿を押える位置にロックするロック手段が構成されている。
【００６２】
図８は、原稿７０をセットし、その上から原稿保持部１１０を閉じた状態を示す上視図である。
【００６３】
ガラス１１１上には原稿７０の位置決め指標となる水平線１１１Ｘ、垂直線１１１Ｙが印刷されている。ユーザーはこの指標に原稿が合っているかどうかを原稿が原稿台１００に固定された状態で確認できる。
【００６４】
本実施形態によれば、原稿は上向きでセットされ、上向きの状態で原稿保持部１１０で保持（固定）される。そして、原稿保持部１１０によって原稿台１００に保持された状態で、原稿台支持手段である原稿台軸１３０を中心にして原稿台１００は回動される。原稿台１００上の原稿が装置本体と対向する位置まで原稿台１００を回動させた後に装置本体１０Ａにある読取部で原稿を読取る。画像読取装置にセットする最終的な原稿の状態を確認してから画像読取り動作に入れるため、原稿の折れ、ずれを未然に防ぐことができる。
【００６５】
本実施形態では、原稿を上向きにしてセットする構成であるが、特許文献２に示すような開閉する原稿押さえ部材に重く大型の読取りキャリッジ等を設ける構成でない。よって本実施形態の原稿台１００は、特許文献２のものと比較して重量が軽く小型である。従って原稿載せ換え時の操作性は良好で、原稿台を閉じる時の衝撃も小さくなる。
【００６６】
本実施形態では、原稿を下向きにセットする画像読取部を備えた通常の画像読取装置の本体に、原稿保持部と原稿台とで構成される原稿載置装置が着脱自在である。したがって、原稿載置装置を画像読取装置本体に装着すること簡単に原稿を上向きにセットする画像読取装置に変更できる。
【００６７】
また、原稿が上向きにセットできるのでブック原稿を回動させてページをめくる煩雑な作業や、それに伴うブック原稿の破損を回避できる。
【００６８】
また、原稿台１００を装置本体１０Ａに着脱自在にし、更に、下向きセット用の圧板やＡＤＦは、原稿台１００とは別の位置に回動自在に取り付けられる。この構成によって、同一の画像読取装置を原稿上向きセットと原稿下向きセットで共用することができ、画像読取装置の運用コストを低く抑えることができる。
【００６９】
（第２の実施形態の画像読取装置）
図９乃至１３に第２の実施形態の画像読取装置に備わる原稿台３００を示す。第１実施形態と第２の実施形態とは原稿台構成が異なる。特に記述しない部分の構成は、第１の実施形態と同様である。
【００７０】
図９乃至１２は図３に示す一点鎖線Ｇ方向に切断した本第２実施形態に係る原稿台３００の正面段面図である。
【００７１】
図１３は図３に示す矢印Ｈ方向から見た原稿台３００の上視図である。
【００７２】
図９は、原稿がない状態で原稿保持手段である樹脂製弾性フィルム３１１が閉じている状態を示している。
【００７３】
本実施形態では、原稿保持手段として、第１の実施形態におけるガラス１１１で構成した原稿保持部に替えて、透光性を備えた樹脂製弾性フィルム３１１が備わる。
【００７４】
フィルム３１１と載置板３０３はほぼ同一面に配置され、互いに接触している状態である。フィルム３１１の一端は載置板３０３と固定部３１１Ａで固着される。フィルム３１１の他端と載置板３０３とは、マジックテープ（登録商標）等で構成された着脱部３１１Ｂによって着脱自在である。着脱部３１１Ｂはフィルム３１１を載置板３０３に固定するロック手段として機能する。
【００７５】
図１０は、原稿７１がセットされた状態でフィルムが閉じている状態を示している。一例としてブック原稿をセットした状態を図示してある。ブック原稿は厚みを持っている。弾性樹脂のフィルム３１１が原稿の表面に沿って伸張し、その張力によってフィルム面とブック原稿の画像面とが密着状態になる。
【００７６】
図１１は原稿台軸１３０によって原稿台３００が回動し画像読取装置本体１０Ａに備わる原稿読取りガラス２に原稿台３００にセットされた原稿がフィルムを介して密着する直前の状態を示す。
【００７７】
ブック原稿７１はその自重が大きいと図１１に示すように載置板３０３と原稿の裏面に空間Ｊが生じる。しかし、フィルム３１１と原稿表面の密着状態はこの自重が作用することで保持される。
【００７８】
また、原稿が撓んでいるが、Ｋに示す中央部から原稿読取りガラス２に漸次接触していく為、浮きや平面性の悪化は生じない状態で図１２に示すように原稿読取りガラス２上にセットされる。
【００７９】
原稿が薄い場合においても、フィルム２の張力と背後の圧板３０３のバックアップで原稿の平面度が確保された状態で原稿読取りガラス２上にセットされる。
【００８０】
図１３は、原稿７１をセットし、その上からフィルム３１０を閉じた状態を示す上視図である。載置板３０３上には原稿７１の位置決め指標となる水平線３０３Ｘ、垂直線３０３Ｙが印刷されている。
【００８１】
ユーザーはこの指標に原稿が合っているかどうかを原稿が原稿台３００に固定された状態で確認できるので、第１の実施形態と同様の効果が得られる。
【００８２】
なお、本第２実施形態の原稿台３００も第１の実施形態と同様に原稿台軸部で装置本体１０Ａに対して着脱自在に構成されている。従って、図５のように原稿台３００を取り外し下向き用圧板又は自動原稿読取り装置２００を装着することによって、通常の下向きに原稿をセットする画像読取装置とすることも可能である。
【００８３】
この時、本実施形態のように原稿台１００の回動位置１０Ｂと下向き用圧板２００の回動位置１０Ｃを異なる位置にしている。よって両者を両方とも装着した状態として、原稿にあわせて適宜使い分けることが可能となる（図１６）。
【００８４】
なお、第２の実施形態特有の効果としては、第１の実施形態のガラスに換えて、軽量で安価な樹脂製弾性フィルムを用いたことに依る。樹脂製弾性フィルムで原稿を押えるために、第１の実施形態のおける付勢部材を省略できることとによって、更なる軽量化と低コスト化が実現できることである。
【００８５】
なお、上述のいずれの実施形態においても原稿をセットするための原稿セット位置として図２に例示したように原稿台の載置板１０３が水平であって原稿の画像面を上向きにセットする形態を例示した。しかし、原稿セット位置としては、原稿の画像面をユーザが視認可能に原稿を原稿台にセットすることができる位置であれば良い。例えば原稿台の載置板が傾いた状態で原稿を原稿台にセットするように構成してもよい。
【図面の簡単な説明】
【００８６】
【図１】本発明の画像読取装置を上部に備えた画像形成装置の該略断面図である。
【図２】本発明の第１実施形態の画像読取装置及び画像形成装置の外観斜視図である。
【図３】本発明の第１実施形態の画像読取装置及び画像形成装置の外観斜視図である。
【図４】本発明の第１実施形態の画像読取装置及び画像形成装置の外観斜視図である。
【図５】本発明の第１実施形態の画像読取装置及び画像形成装置の外観斜視図である。
【図６】本発明の第１実施形態の画像読取装置の側面断面図である。
【図７】本発明の第１実施形態の画像読取装置の側面断面図である。
【図８】本発明の第１実施形態の画像読取装置の原稿台の上視図である。
【図９】本発明の第２実施形態の画像読取装置の正面断面図である。
【図１０】本発明の第２実施形態の画像読取装置の正面断面図である。
【図１１】本発明の第２実施形態の画像読取装置の正面断面図である。
【図１２】本発明の第２実施形態の画像読取装置の正面断面図である。
【図１３】本発明の第２実施形態の画像読取装置の原稿台の上視図である。
【図１４】従来の画像読取装置の外観斜視図である。
【図１５】従来の画像読取装置の正面断面図である。
【図１６】本発明の第１および第２実施形態の画像読取装置及び画像形成装置の外観斜視図である。
【符号の説明】
【００８７】
２  原稿読取りガラス
１０  第１の実施形態の画像読取装置
３０  第２の実施形態の画像読取装置
１００、３００  原稿台
１０３  載置板
１１０  原稿保持部
１２０  ロックアーム
１３０  原稿台軸
【図１】
2007171274.tif 000003
【図２】
2007171274.tif 000004
【図３】
2007171274.tif 000005
【図４】
2007171274.tif 000006
【図５】
2007171274.tif 000007
【図６】
2007171274.tif 000008
【図７】
2007171274.tif 000009
【図８】
2007171274.tif 000010
【図９】
2007171274.tif 000011
【図１０】
2007171274.tif 000012
【図１１】
2007171274.tif 000013
【図１２】
2007171274.tif 000014
【図１３】
2007171274.tif 000015
【図１４】
2007171274.tif 000016
【図１５】
2007171274.tif 000017
【図１６】
2007171274.tif 000018